(57)【要約】【課題】電線側端子金具を上下２段に振り分けてコネクタの幅狭化を図るに際し、コネクタの高さを極力低く抑える。【解決手段】コネクタ全体の幅狭化を図るために、電線側端子金具３０を上下２段に振り分けて電線接続部３１同士が上下に並ぶように配置しているが、電線側接触片３５を電線接続部３１よりも幅狭としたことにより、１つの電線接続部３１が占める幅方向領域に対して上段側と下段側の２つの電線側接触片３５を概ね同じ高さで左右に並べて対応させることができた。これにより、上段側の接触片と下段側の接触片とを上下に並べたものに比べて、コネクタの低背化を図ることができる。【選択図】  図６
2004342414.tif 000002
【特許請求の範囲】
【請求項１】
並列する複数の電線からなるフラットケーブルを回路基板に接続するためのものであって、
前記電線に接続された電線側端子金具を収容する電線側コネクタと、前記回路基板に接続される基板側端子金具を収容する基板側コネクタとを備え、
前記電線側端子金具は、上下２段に振り分けられ、且つ各段において左右に並列する形態で配置され、
前記電線側端子金具に形成した電線側接触片と前記基板側端子金具に形成した基板側接触片とが上下に当接することで前記電線側端子金具と前記基板側端子金具とが導通可能に接続されるようにしたコネクタにおいて、
前記電線側接触片と前記基板側接触片は、前記電線側端子金具における前記電線との接続手段である電線接続部よりも幅狭とされており、
上下に対応する前記電線側端子金具は、その電線接続部同士が上下に並び、且つその電線側接触片同士が１つの前記電線接続部が占める幅方向領域と対応して概ね同じ高さで左右に並ぶように配置されていることを特徴とするコネクタ。
【請求項２】
前記電線側接触片と前記基板側接触片とのうちいずれか一方の接触片が二股状に分かれた形態とされ、この二股状の接触片が他方の接触片を上下に挟むことで前記電線側端子金具と前記基板側端子金具とが導通可能に接続されるようにしたことを特徴とする請求項１記載のコネクタ。
【発明の詳細な説明】
【０００１】
【発明の属する技術分野】
本発明は、複数の電線を並列させたフラットケーブルを回路基板に接続するためのコネクタに関するものである。
【０００２】
【従来の技術】
複数の電線を左右に並列させたフラットケーブルを回路基板に接続するためのコネクタとして、従来特許文献１に開示されているものがある。これは、フラットケーブルの各電線に接続した複数の電線側端子金具を左右に並列して収容した電線側コネクタと、回路基板に接続される複数の基板側端子金具を並列して収容した基板側コネクタとからなる。
【０００３】
電線側端子金具と基板側端子金具の先端部には、夫々、両コネクタの嵌合方向と略平行に細長く突出する接触片が形成されており、両コネクタを嵌合した状態では、接続片同士が上下に当接することにより電線側端子金具と基板側端子金具とが導通可能に接続されるようになっている。
【０００４】
【特許文献１】
特開２００１−８５１２２公報
【０００５】
【特許文献２】
特開平３−２６６３８４号公報
【０００６】
【発明が解決しようとする課題】
フラットケーブル用のコネクタにおいて電線並列方向の小型化（幅狭化）を図ろうとする場合、電線及び電線側端子金具を上下２段に振り分けて配置する構造が考えられる。しかしながら、この場合、上段側の接触片と下段がの接触片とが上下に並ぶことになるため、コネクタ全体として嵩高になってしまう。
【０００７】
特に、接触安定性確保のために一方の接続片を二股状にしてその間に他方の接触片を挟む形態とした場合には、２段振り分け配置構造を組み合せると、上下方向に６本の接続片が並ぶことになるため、著しく嵩高になってしまう。尚、一方の接続片を二股状にしたコネクタとしては、特許文献２に開示されているもの等がある。
本願発明は上記事情に鑑みて創案され、電線側端子金具を上下２段に振り分けてコネクタの幅狭化を図るに際し、コネクタの高さを極力低く抑えることを目的としている。
【０００８】
【課題を解決するための手段】
請求項１の発明は、並列する複数の電線からなるフラットケーブルを回路基板に接続するためのものであって、前記電線に接続された電線側端子金具を収容する電線側コネクタと、前記回路基板に接続される基板側端子金具を収容する基板側コネクタとを備え、前記電線側端子金具は、上下２段に振り分けられ、且つ各段において左右に並列する形態で配置され、前記電線側端子金具に形成した電線側接触片と前記基板側端子金具に形成した基板側接触片とが上下に当接することで前記電線側端子金具と前記基板側端子金具とが導通可能に接続されるようにしたコネクタにおいて、前記電線側接触片と前記基板側接触片は、前記電線側端子金具における前記電線との接続手段である電線接続部よりも幅狭とされており、上下に対応する前記電線側端子金具は、その電線接続部同士が上下に並び、且つその電線側接触片同士が１つの前記電線接続部が占める幅方向領域と対応して概ね同じ高さで左右に並ぶように配置されている構成とした。
【０００９】
請求項２の発明は、請求項１の発明において、前記電線側接触片と前記基板側接触片とのうちいずれか一方の接触片が二股状に分かれた形態とされ、この二股状の接触片が他方の接触片を上下に挟むことで前記電線側端子金具と前記基板側端子金具とが導通可能に接続されるようにした構成とした。
【００１０】
【発明の作用及び効果】
［請求項１の発明］
本発明では、コネクタ全体の幅狭化を図るために、電線側端子金具を上下２段に振り分けて電線接続部同士が上下に並ぶように配置しているが、電線側接触片を電線接続部よりも幅狭としたことにより、１つの電線接続部が占める幅方向領域に対して上段側と下段側の２つの電線側接触片を概ね同じ高さで左右に並べて対応させることが実現されている。これにより、上段側の接触片と下段側の接触片とを上下に並べたものに比べて、コネクタの低背化を図ることができる。
【００１１】
［請求項２の発明］
二股状の接触片が他方の接触片を挟むことによって両端子金具を接続するようにしたので、接触片自身の弾力によって高い接触圧を確保することができる。したがって、端子金具を収容する合成樹脂製のハウジングには接触圧確保のための負荷が作用せずに済む。
【００１２】
【発明の実施の形態】
［実施形態１］
以下、本発明を具体化した実施形態１を図１乃至図９を参照して説明する。
【００１３】
本実施形態のコネクタは、複数の電線Ｗを並列させたフラットケーブルＦを回路基板Ｐに接続するためのものであって、各電線Ｗに接続された電線側端子金具３０を収容する電線側コネクタ１０と、回路基板Ｐに接続される基板側端子金具４３Ａ，４３Ｂを収容する基板側コネクタ４０とを備えて構成されている。
まず、フラットケーブルＦについて説明する。フラットケーブルＦは、可撓性を有するシートＦａに、複数本の電線Ｗを互いに平行に且つ一定ピッチで左右に並べて固着したものである。各電線Ｗは、芯線Ｗａを絶縁樹脂からなるコアＷｂで包囲するとともに、そのコアＷｂの外周に編組線からなる筒状のシールド層Ｗｃを重ね、このシールド層Ｗｃを絶縁性樹脂からなるシースＷｄで包囲したシールド電線と称されるものである。各電線ＷのシートＦａから突出した端末部（電線側端子金具３０との接続端部）においては、シースＷｄが剥き取られてシールド層Ｗｃが露出されているとともに、シールド層Ｗｃの先端からコアＷｂが僅かに露出され、さらに、このコアＷｂの先端から露出した芯線Ｗａが突出している。そして、各電線Ｗにおける露出した芯線Ｗａの先端部同士は、左右方向に細長い絶縁性樹脂からなる連結部材Ｆｂによって連結されており、この連結部材Ｆｂにより、各芯線Ｗａの露出部分が一定ピッチで整列されている。
【００１４】
電線側コネクタ１０は、左右方向に細長い合成樹脂製のコネクタハウジング１１と、このコネクタハウジング１１を包囲する左右方向に細長いシールドシェル２４とを有し、電線側端子金具３０はコネクタハウジング１１に組み付けられるとともにシールドシェル２４によって包囲されている。尚、電線側コネクタ１０における前方とは、基板側コネクタ４０に対する嵌合方向を意味する。
コネクタハウジング１１の上面（即ち、上段）には、電線Ｗと同一ピッチで複数の端子収容部１２が左右に並列して形成されている。端子収容部１２は、コネクタハウジング１１の上面側及び前後両面側に開放された凹状をなしている。端子収容部１２の略後半部分が幅広収容部１３とされ、略前半部分が幅狭収容部１４となっていて、双方の収容部１３，１４の床面は平坦状をなして面一状に連続している。
【００１５】
隣接する幅広収容部１３同士は仕切壁１５によって区画されている。仕切壁１５のうち略前半部分（幅広収容部１３の前端よりも少し後方の位置よりも前方の部分）は高壁部１５Ｈとされ、略後半部分は高壁部１５Ｈよりも低い低壁部１５Ｌとなっている。また、左端に位置する幅広収容部１３の左側及び右端に位置する幅広収容部１３の右側には、夫々、外壁１６が設けられており、外壁１６のうちの略前半部分は仕切壁１５の高壁部１５Ｈと同じ高さの高壁部１６Ｈとされ、外壁１６のうちの略後半部分は仕切壁１５の低壁部１５Ｌと同じ高さの低壁部１６Ｌとされている。
【００１６】
幅狭収容部１４は、幅広収容部１３のほぼ１／３の幅寸法を有し、幅広収容部１３の前端における左端部に連なっている。幅広収容部１３よりも前方の位置（幅狭収容部１４と対応する位置）には、幅広収容部１３における幅方向中央に位置するとともに、仕切壁１５の高壁部と同じ高さの保持壁１７が形成されており、この保持壁１７と仕切壁１５との間及び保持壁１７と左端の外壁１６との間に挟まれることによって、幅狭収容部１４が構成されている。保持壁１７の左側面（幅狭収容部１４に臨む側面）には、保持壁１７の上端面に開口する上下方向の保持溝１８が形成されている。保持溝１８は、その幅狭収容部１４側への開口幅が最も狭くなるような台形断面のアリ溝となっている。尚、保持壁１７を挟んで幅狭収容部１４と反対側の凹み部分は、仕切壁１５の低壁部と同じ高さの受け部１９となっている。
【００１７】
また、コネクタハウジング１１の後端縁部には、各幅広収容部１３の後端に連なる電線収容部２０が形成されている。電線収容部２０は、コネクタハウジング１１の上面側及び後面側に開放された凹状をなす。電線収容部２０の左右両側部には一対の挟持突起２１が形成されていている。
一方、コネクタハウジング１１の下面（即ち、下段）にも、上面側と同様、電線Ｗと同一ピッチで複数の端子収容部１２及び電線収容部２０が左右に並列して形成されている。この下面側の端子収容部１２及び電線収容部２０は、水平な隔壁２２を挟んで上面側の端子収容部１２及び電線収容部２０と上下に対応するように配置され、上下に対応する２つの端子収容部１２同士及び電線収容部２０同士は、配置、形状において前後方向（両コネクタ１０，４０の嵌合方向と平行な方向）の軸線に関して点対称の関係となっている。したがって、上面側では幅狭収容部１４が幅狭収容部１４の左端部に位置していたのに対し、下面側では幅狭収容部１４が幅狭収容部１４の右端部に位置している。また、上面側の受け部１９と下面側の幅狭収容部１４とが上下に対応し、上面側の幅狭収容部１４と下面側の受け部１９とが上下に対応している。
【００１８】
上面（上段）側の端子収容部１２に取り付けられる電線側端子金具３０は、所定形状に打ち抜いた金属板材に曲げ加工を施したものであり、その略後半部分は、電線Ｗに接続される電線接続部３１となっている。電線接続部３１は、全体として側方から視てＬ字形に屈曲されており、この電線接続部３１の幅方向中央には、水平部３２の前端より少し後方の位置から水平部３２の後端を経て、水平部３２の後端からほぼ直角に立ち上がる垂直部３３の上端に至るスリット３４が形成されている。
【００１９】
また、電線側端子金具３０の略前半部分は、電線接続部３１の水平部３２の前端縁における左端部から前方へ水平部３２と面一状に細長く片持ち状に延出する１本棒状の電線側接触片３５となっている。この電線側接触片３５の右側縁部には、右方へ突出し、且つ突出方向（右方）に向かって幅広となる台形をなす保持突起３６が形成されている。また、電線側端子金具３０の左側縁部には、概ね山形に突出する補助突起３７が形成されている。保持突起３６と補助突起３７とは、前後方向において互いほぼ同一の位置に配置されている。
【００２０】
かかる電線側端子金具３０は上面側の端子収容部１２に装着される。装着の際には、保持突起３６を保持溝１８に対応させて電線側端子金具３０を上から押し込む。すると、保持突起３６が保持溝１８に圧入しつつ、電線接続部３１が幅広収容部１３内に収容されるとともに、電線側接触片３５を幅狭収容部１４内に収容される。正しく装着されると、電線側端子金具３０の下面が端子収容部１２の底面に面接触状態で当接し、電線接続部３１の上面が、仕切壁１５の低壁部１５Ｌの上面、外壁１６の低壁部１６Ｌの上面及び受け部１９の上面と同じ高さとなる。また、補助突起３７が仕切壁１５の右側面又は外壁１６の右側面に対して食い込むように当接する。電線側端子金具３０は、保持溝１８と保持突起３６との嵌合により、前後左右方向への遊動が規制されるとともに、保持溝１８と保持突起３６との間の圧入による摩擦によって上方への離脱が規制されている。
【００２１】
一方、下面（下段）側の端子収容部１２に取り付けられる電線側端子金具３０は、上記上段側に配置される電線側端子金具３０と同一種類のものであり、上段側の電線側端子金具３０とは上下反転させた姿勢で、下面側の端子収容部１２に取り付けられる。取付けに際しては、上段側とは反対に下方から組み付けられる。この下段側の電線側端子金具３０と上段側の電線側端子金具３０は、配置及び姿勢において前後方向（両コネクタ１０，４０の嵌合方向と平行な方向）の軸線に関して点対称の関係となっている。したがって、上面側の受け部１９と下面側の電線側接触片３５とが上下に対応し、上面側の電線側接触片３５と下面側の受け部１９とが上下に対応している。また、上下に対応する２つの電線側端子金具３０の電線接続部３１同士は上下に並び、且つ上下に対応する２つの電線側端子金具３０の電線側接触片３５同士は、１つの電線接続部３１の占める幅方向領域と対応して（その幅方向領域の範囲内で）概ね同じ高さ（正確には、隔壁２２の厚さ分だけ僅かに高さが異なる）で左右に並ぶように配置されることになる。つまり、電線側接触片３５は、正面（基板側コネクタ４０と対向する面）から見ると千鳥配置となっている。
【００２２】
上記のようにコネクタハウジング１１に取り付けられた電線側端子金具３０には、フラットケーブルＦが接続されている。上段側の電線側端子金具３０への接続に際しては、コネクタハウジング１１の上方において各電線Ｗの端末部が各電線側端子金具３０と対応するように位置あわせし、そのフラットケーブルＦを下降させることにより、各電線Ｗの露出した芯線Ｗａを電線接続部３１の垂直部３３の上端縁からスリット３４内に差し込む。即ち、圧接する。芯線Ｗａの端末部は連結部材Ｆｂによって整列状態に保持されているので、芯線Ｗａの差込みは全ての電線接続部３１に対してほぼ一斉に行われる。芯線Ｗａは、スリット３４を左右に押し広げつつ差し込まれ、電線接続部３１の弾性復元力によって所定の接触圧により電線側端子金具３０に接続される。
【００２３】
電線Ｗが接続された状態では、コアＷｂの露出部分及びシールド層Ｗｃの露出部分が電線収容部２０内に収容されるとともに、シールド層Ｗｃの露出部分が一対の挟持突起２１によって左右から挟み付けられる。また、連結部材Ｆｂは、電線接続部３１の水平部３２の上面と、仕切壁１５及び外壁１６の低壁部１５Ｌ，１６Ｌの上面とに載置される。一方、下段側の電線側端子金具３０に対するフラットケーブルＦの接続も、上記と同様にして行われる。以上により、１つのコネクタハウジング１１に対して２つのフラットケーブルＦが取り付けられ、複数の電線Ｗが、上下２段に振り分けられ、且つ各段において左右に同一ピッチで並列する形態で配置される。
【００２４】
上記のようにフラットケーブルＦを接続した後は、コネクタハウジング１１に上下一対のシールドシェル２４を組み付け、コネクタハウジング１１に装着された電線側端子金具３０をシールドする。上側のシールドシェル２４は、コネクタハウジング１１の上面に被せられ、上段側の電線側端子金具３０を覆い隠す。一方、下側のシールドシェル２４は、コネクタハウジング１１の下面に被せられ、下段側の電線側端子金具３０を覆い隠す。そして、上下両シールドシェル２４は、係止片２５と係止孔２６との係止により、コネクタハウジング１１に対して組み付け状態にロックされる。組み付けられたシールドシェル２４は、その後端側に形成された導通片２７をシールド層Ｗｃの露出部分に接触させるとともに、導通片よりも前方の位置に形成した押さえ突起２８で連結部材Ｆｂを隔壁２２側へ押し付ける。尚、シールドシェル２４には、電線接続部３１の垂直部３３との接触を回避するための逃がし孔２９が形成されている。以上により、電線側コネクタ１０の組付けが完成する。
【００２５】
次に、基板側コネクタ４０について説明する。基板側コネクタ４０は、合成樹脂製のコネクタハウジング４１を有し、このコネクタハウジング４１には、その前後両面間に貫通された縦長スリット状をなす複数（電線側コネクタ１０に取り付けられている電線側端子金具３０と同数）のキャビティ４２が、左右に一定ピッチで形成されている。このキャビティ４２のピッチは、電線側コネクタ１０に千鳥配置されている電線側接触片３５の左右方向のピッチと同じ寸法である。
【００２６】
各キャビティ４２には、夫々、所定形状に打ち抜いた金属板材からなる基板側端子金具４３Ａ，４３Ｂが後方から圧入することによって装着されている。基板側端子金具４３Ａ，４３Ｂは、回路基板Ｐに接続される基板接続部４４と、この基板接続部４４の前端に連なる基板側接触片４５Ａ，４５Ｂとからなる。基板側接触片４５Ａ，４５Ｂは、二股状をなし、前方へ（電線側コネクタ１０に対する嵌合方向と同方向）片持ち状に延出する上下一対の挟持片４６ａ，４６ｂによって構成されている。
【００２７】
基板側端子金具４３Ａ，４３Ｂは、基板接続部４４が共通形態であって基板側接触片４５Ａ，４５Ｂの形態が異なる２種類のものが用意されている。即ち、上段側の電線側端子金具３０に接続される上段用基板側端子金具４３Ａは、上側の挟持片４６ａが下側の挟持片４６ｂよりも長く、上側の挟持片４６ａの前端部には、下向きに突出する接点部４７が形成されている。一方、下段側の電線側端子金具３０に接続される下段用基板側端子金具４３Ｂは、下側の挟持片４６ａが上側の挟持片４６ｂよりも長く、下側の挟持片４６ａの前端部には、上向きに突出する接点部４７が形成されている。つまり、上段用基板側端子金具４３Ａの基板側接触片４５Ａと下段用基板側端子金具４３Ｂの基板側接触片４５Ｂとは上下対称の形状をなしている。
【００２８】
また、上下に対応する挟持片４６ａ，４６ｂ同士の上下間隔は、上段側の受け部１９の上面から下段側の電線側接触片３５の下面までの距離、及び下段側の受け部１９の下面から上段側の電線側接触片３５の上面までの距離よりも狭い寸法とされている。また、基板側端子金具４３Ａ，４３Ｂの板厚（左右方向の寸法）は、電線側接触片３５の左右幅寸法よりも小さい寸法とされている。かかる２種類の基板側端子金具４３Ａ，４３Ｂは、左右方向において交互に並ぶように配置されている。さらに、コネクタハウジング４１には、上下に対応する挟持片４６ａ，４６ｂ同士の間の高さを全幅に亘って切欠した横長スリット状をなす嵌合凹部４８が、前方に開放した形態で形成されている。
【００２９】
次に、本実施形態の作用を説明する。
基板側コネクタ４０は、予め回路基板Ｐの上面に固定されており、基板側端子金具４３Ａ，４３Ｂの基板接続部４４が回路基板Ｐ上の回路（図示せず）に接続されている。この基板側コネクタ４０に対し、電線側コネクタ１０を嵌合する。嵌合に際しては、電線側コネクタ１０を基板側コネクタ４０と同じ高さで水平に接近させ、基板側コネクタ４０の嵌合凹部４８に電線側コネクタ１０の隔壁２２の略前端側部分（受け部１９が形成されている領域）と各電線側接触片３５を内嵌するとともに、基板側コネクタ４０の略前半部分に対して電線側コネクタ１０のシールドシェル２４の略前半部分を外嵌する。また、シールドシェル２４の下面が回路基板Ｐ上のアース回路（図示せず）に接続される。
【００３０】
両コネクタ１０，４０が正規嵌合された状態では、各基板側端子金具４３Ａ，４３Ｂが、夫々、対応する上段側と下段側の各電線側端子金具３０と嵌合して導通可能に接続される。
即ち、上段用基板側端子金具４３Ａは、図８に示すように、その両挟持片４６ａ，４６ｂで上段側の電線側接触片３５、隔壁２２及び下面側の受け部１９を上下に挟み付け、上側の挟持片４６ａが上段側の電線側接触片３５に対して上から接触するとともに、下側の挟持片４６ｂが下面側の受け部１９に対して下から当接する。これにより、上段用基板側端子金具４３Ａが上段側の電線側端子金具３０に接続される。
【００３１】
一方、上段用基板側端子金具４３Ａに隣接する下段用基板側端子金具４３Ｂは、図９に示すように、その両挟持片４６ａ，４６ｂで下段側の電線側接触片３５、隔壁２２及び上面側の受け部１９を上下に挟み付け、上側の挟持片４６ｂが上面側の受け部１９に対して上から当接するとともに、下側の挟持片４６ａが下段側の電線側接触片３５に対して下から接触する。これにより、下段用基板側端子金具４３Ｂが下段側の電線側端子金具３０に接続される。尚、受け部１９に当接する挟持片４６ｂは、電線側接触片３５に接触する挟持片４６ａよりも突出長さが短いので、受け部１９と同じ側に配置されている電線接続部３１に接触する虞がない。
【００３２】
上述のように本実施形態においては、コネクタ全体の幅狭化を図るために、電線側端子金具３０を上下２段に振り分けてその電線接続部３１同士が上下に並ぶように配置しているのであるが、電線側接触片３５と基板側接触片４５Ａ，４５Ｂを電線接続部３１よりも幅狭としたことにより、１つの電線接続部３１が占める幅方向領域に対して上段側と下段側の２つの電線側接触片３５を概ね同じ高さで左右に並べて対応させるとともに、上段側の電線側接触片３５に接続される上段用基板側端子金具４３Ａと下段側の電線側接触片３５に接続される下段用基板側端子金具４３Ｂとを同じ高さに配置することが実現されている。これにより、上段側の接触片３５，４５Ａ同士の接続に必要な高さ領域と、下段側の接触片３５，４５Ｂ同士の接続に必要な高さ領域とを同じ高さにすることができ、上段側の接触片と下段側の接触片とを上下に並べたものに比べて、コネクタの低背化が可能となっている。
【００３３】
また、基板側接触片４５Ａ，４５Ｂを二股状としてこの基板側接触片４５Ａ，４５Ｂが電線側接触片３５を挟むことによって両端子金具３０と４３Ａ，３０と４３Ｂを接続するようにしたので、接触片４５Ａ，４５Ｂ自身の弾力によって高い接触圧を確保することができる。したがって、端子金具３０，４３Ａ，４３Ｂを収容する合成樹脂製のコネクタハウジング１１，４１には接触圧確保のための負荷が作用せずに済み、ひいては、コネクタハウジング１１，４１の変形を防止することで接触信頼性を高めることができる。
【００３４】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では基板側接触片を二股状としたが、本発明によれば、電線側接触片を二股状とし、この電線側接触片の間に基板側接触片を挟むようにしてもよい。
【００３５】
（２）上記実施形態では単一種類の電線側端子金具を上段と下段とに上下反転する位置関係で配置したが、本発明によれば、上段側の電線が端子金具と下段側の電線側端子金具とを異なる形状としてもよい。
（３）上記実施形態では電線側接触片と基板側接触片のうち一方を二股状としたが、本発明によれば、いずれの接触片も二股状にせずに１本の棒状に突出する形態としてもよい。
（４）上記実施形態では電線側接触片を全て１本棒状にするとともに基板側接触片を全て二股状としたが、本発明によれば、二股状の電線側接触片と１本棒状の基板側接触片とを接触させる接続形態と、二股状の基板側接触片と１本棒状の電線側接触片とを接触させる接続形態とが混在するようにしてもよい。
【００３６】
（５）上記実施形態では電線接続部を圧接刃とし、圧接により電線を接続するようにしたが、本発明は、電線を圧着など他の手段によって接続する場合にも適用できる。
（６）上記実施形態ではフラットケーブルがシールド機能を有する場合について説明したが、本発明は、シールド機能を有しない場合にも適用できる。
（７）上記実施形態では上段の電線側端子金具に接続される基板側端子金具と、下段の電線側端子金具に接続される基板側端子金具とを異なる形状としたが、本発明によれば、上段用と下段用とで共通の形状としてもよい。
【図面の簡単な説明】
【図１】実施形態１において電線側コネクタと基板側コネクタを分離した状態をあらわす斜視図
【図２】電線側コネクタと基板側コネクタを嵌合した状態をあらわす斜視図
【図３】電線側コネクタとフラットケーブルの平面図
【図４】電線側コネクタにフラットケーブルを接続した状態をあらわす平面図
【図５】電線側コネクタの正面図
【図６】上段側の電線側端子金具と下段側の電線側端子金具の形状及び位置関係をあらわす斜視図
【図７】電線側コネクタと基板側コネクタを分離した状態をあらわす断面図
【図８】基板側端子金具と上段側の電線側端子金具との接続状態をあらわす断面図
【図９】基板側端子金具と下段側の電線側端子金具との接続状態をあらわす断面図
【符号の説明】
Ｆ…フラットケーブル
Ｐ…回路基板
１０…電線側コネクタ
３０…電線側端子金具
３１…電線接続部
３５…電線側接触片
４０…基板側コネクタ
４３Ａ，４３Ｂ…基板側端子金具
４５Ａ，４５Ｂ…基板側接触片
【図１】
2004342414.tif 000003
【図２】
2004342414.tif 000004
【図３】
2004342414.tif 000005
【図４】
2004342414.tif 000006
【図５】
2004342414.tif 000007
【図６】
2004342414.tif 000008
【図７】
2004342414.tif 000009
【図８】
2004342414.tif 000010
【図９】
2004342414.tif 000011